(57)【要約】【目的】ユーザの操作効率を向上させる。【構成】携帯電話からのリクエストに応じたウェブ・ページを一駒の画像として表すウェブ・ページ画像に変換する。ウェブ・ページ画像を表す画像ファイルが携帯電話に送信される。携帯電話の表示画面には，そのウェブ・ページ画像を利用するユーザが指令を与える順序にしたがって表示されるように画像部分501〜504が表示される。ユーザは，所望の部分を表示画面に表示させるために画像を移動させることなく指令を順に与えることができる。【選択図】図14
2011123697.tif 000002
【特許請求の範囲】
【請求項１】
ウェブ・ページ・データ変換サーバと表示装置を備えた携帯電話とを含むウェブ・ページ・データ変換システムにおいて，
上記ウェブ・ページ・データ変換サーバが，
上記携帯電話から送信されるウェブ・ページ・リクエストを受信するウェブ・ページ・リクエスト受信手段，
上記ウェブ・ページ・リクエスト受信手段によって受信したウェブ・ページ・リクエストを，そのウェブ・ページ・リクエストによって要求され，かつ上記携帯電話のユーザからの指令を受け付けるユーザ・インターフェイス領域を複数含むウェブ・ページを表すウェブ・ページ・コンテンツを格納しているウェブ・ページ・サーバに送信するウェブ・ページ・リクエスト送信手段，
上記ウェブ・ページ・リクエスト送信手段によってウェブ・ページ・リクエストが上記ウェブ・ページ・サーバに送信されたことに応じて上記ウェブ・サーバから送信されるウェブ・ページ・コンテンツを受信するウェブ・ページ・コンテンツ受信手段，
上記ウェブ・ページ・コンテンツ受信手段によって受信したウェブ・ページ・コンテンツから，一駒のウェブ・ページ画像を生成するウェブ・ページ画像生成手段，
上記ウェブ・ページ画像生成手段によって生成されたウェブ・ページ画像に含まれる複数のユーザ・インターフェイス領域のうち，それらの複数のユーザ・インターフェイス領域に指令を与えた指令順序履歴から上記携帯電話のユーザが指令を与えると考えられるユーザ・インターフェイス領域を決定する第１のユーザ・インターフェイス領域決定手段，ならびに
上記第１のユーザ・インターフェイス領域決定手段によって決定されたユーザ・インターフェイス領域を特定する第１のユーザ・インターフェイス領域特定データおよび上記ウェブ・ページ画像生成手段によって生成されたウェブ・ページ画像を表すウェブ・ページ画像ファイルを上記携帯電話に送信する第１の送信手段，
を備え，
上記携帯電話が，
上記ウェブ・ページ・データ変換サーバの上記第１の送信手段から送信された第１のユーザ・インターフェイス領域特定データおよびウェブ・ページ画像ファイルを受信したことに応じて，上記ウェブ・ページ画像ファイルによって表されるウェブ・ページ画像のうち，上記第１のユーザ・インターフェイス領域特定データによって特定されるユーザ・インターフェイス領域を含む画像部分を表示画面に表示するように上記表示装置を制御する表示制御手段，
上記ウェブ・ページ画像に含まれる複数のユーザ・インターフェイス領域のうちいずれかのユーザ・インターフェイス領域に指令を与える指令手段，ならびに
上記指令手段によって指令が与えられたユーザ・インターフェイス領域を特定する第２のユーザ・インターフェイス領域特定データおよび上記指令手段から与えられた指令内容を示すデータを上記ウェブ・ページ・データ変換サーバに送信する第２の送信手段，
を備えたウェブ・ページ・データ変換システム。
【請求項２】
上記ウェブ・ページ変換サーバは，
上記携帯電話の上記第２の送信手段から送信された第２の特定データによって表されるユーザ・インターフェイス領域への指令を用いて上記指令順序履歴を更新する更新手段をさらに備え，
上記ウェブ・ページ画像生成手段は，
上記携帯電話の上記第２の送信手段から送信された指令内容を表すデータを受信したことに応じて，その指令内容を表すデータによって表される指令内容を反映したウェブ・ページ画像を生成するものである，
請求項１に記載のウェブ・ページ・データ変換システム。
【請求項３】
携帯電話から送信されるウェブ・ページ・リクエストを受信するウェブ・ページ・リクエスト受信手段，
上記ウェブ・ページ・リクエスト受信手段によって受信したウェブ・ページ・リクエストを，そのウェブ・ページ・リクエストによって要求され，かつ上記携帯電話のユーザからの指令を受け付けるユーザ・インターフェイス領域を複数含むウェブ・ページを表すウェブ・ページ・コンテンツを格納しているウェブ・ページ・サーバに送信するウェブ・ページ・リクエスト送信手段，
上記ウェブ・ページ・リクエスト送信手段によってウェブ・ページ・リクエストが上記ウェブ・ページ・サーバに送信されたことに応じて上記ウェブ・サーバから送信されるウェブ・ページ・コンテンツを受信するウェブ・ページ・コンテンツ受信手段，
上記ウェブ・ページ・コンテンツ受信手段によって受信したウェブ・ページ・コンテンツから，一駒のウェブ・ページ画像を生成するウェブ・ページ画像生成手段，
上記ウェブ・ページ画像生成手段によって生成されたウェブ・ページ画像に含まれる複数のユーザ・インターフェイス領域のうち，それらの複数のユーザ・インターフェイス領域に指令を与えた指令順序履歴から上記携帯電話のユーザが指令を与えると考えられるユーザ・インターフェイス領域を決定するユーザ・インターフェイス領域決定手段，ならびに
上記ユーザ・インターフェイス領域決定手段によって決定されたユーザ・インターフェイス領域を特定するユーザ・インターフェイス領域特定データおよび上記ウェブ・ページ画像生成手段によって生成されたウェブ・ページ画像を表すウェブ・ページ画像ファイルを上記携帯電話に送信する送信手段，
を備えたウェブ・ページ変換サーバ。
【請求項４】
ウェブ・ページ・リクエスト受信手段が，携帯電話から送信されるウェブ・ページ・リクエストを受信し，
ウェブ・ページ・リクエスト送信手段が，上記ウェブ・ページ・リクエスト受信手段によって受信したウェブ・ページ・リクエストを，そのウェブ・ページ・リクエストによって要求され，かつ上記携帯電話のユーザからの指令を受け付けるユーザ・インターフェイス領域を複数含むウェブ・ページを表すウェブ・ページ・コンテンツを格納しているウェブ・ページ・サーバに送信し，
ウェブ・ページ・コンテンツ受信手段が，上記ウェブ・ページ・リクエスト送信手段によってウェブ・ページ・リクエストが上記ウェブ・ページ・サーバに送信されたことに応じて上記ウェブ・サーバから送信されるウェブ・ページ・コンテンツを受信し，
ウェブ・ページ画像生成手段が，上記ウェブ・ページ・コンテンツ受信手段によって受信したウェブ・ページ・コンテンツから，一駒の画像で表すウェブ・ページ画像を生成し，
指令受付領域決定手段が，上記ウェブ・ページ画像生成手段によって生成されたウェブ・ページ画像に含まれる複数のユーザ・インターフェイス領域のうち，それらの複数のユーザ・インターフェイス領域に指令を与えた指令順序履歴から上記携帯電話のユーザが指令を与えると考えられるユーザ・インターフェイス領域を決定し，
送信手段が，上記ユーザ・インターフェイス領域決定手段によって決定されたユーザ・インターフェイス領域を特定する指令領域特定データおよび上記ウェブ・ページ画像生成手段によって生成されたウェブ・ページ画像を表すウェブ・ページ画像ファイルを上記携帯電話に送信する，
ウェブ・ページ変換サーバの動作制御方法。
【請求項５】
ウェブ・ページ変換サーバを制御するプログラムであって，
携帯電話から送信されるウェブ・ページ・リクエストを受信させ，
受信したウェブ・ページ・リクエストを，そのウェブ・ページ・リクエストによって要求され，かつ上記携帯電話のユーザからの指令を受け付けるユーザ・インターフェイス領域を複数含むウェブ・ページを表すウェブ・ページ・コンテンツを格納しているウェブ・ページ・サーバに送信させ，
ウェブ・ページ・リクエストが上記ウェブ・ページ・サーバに送信されたことに応じて上記ウェブ・サーバから送信されるウェブ・ページ・コンテンツを受信させ，
受信したウェブ・ページ・コンテンツから，一駒のウェブ・ページ画像を生成させ，
生成されたウェブ・ページ画像に含まれる複数のユーザ・インターフェイス領域のうち，それらの複数のユーザ・インターフェイス領域に指令を与えた指令順序履歴から上記携帯電話のユーザが指令を与えると考えられるユーザ・インターフェイス領域を決定させ，
決定されたユーザ・インターフェイス領域を特定するユーザ・インターフェイス領域特定データおよび生成されたウェブ・ページ画像を表すウェブ・ページ画像ファイルを上記携帯電話に送信させるようにウェブ・ページ変換サーバの動作を制御するコンピュータ読み取り可能なプログラム。
【発明の詳細な説明】
【技術分野】
【０００１】
この発明は，ウェブ・ページ変換システムならびにウェブ・ページ変換サーバ，その動作制御方法およびその動作制御プログラムに関する。
【背景技術】
【０００２】
通信技術の飛躍的進歩，セキュリティの向上などからシン・クライアント・システムが注目を集めている。たとえば，サーバにおいてアプリケーション・ソフトウエア，ＯＳ（オペレーティング・システム）などを動作させ，クライアント端末装置においてサーバにアクセスすることにより，クライアント端末装置においてアプリケーション・ソフトウエア，ＯＳを動作させることなく，アプリケーション・ソフトウエア，ＯＳが動作しているかのように操作できるものがある（特許文献１，２）。縦長のクライアント端末装置の表示画面に文字数が多い文書を表示する場合には，縦横変換を行うものもある（特許文献３）。
【０００３】
また，携帯電話においてウェブ・ページを閲覧する場合には，携帯電話の表示画面が小さいために見づらいことがある。見やすくするためにウェブ・ページを拡大すると，ウェブ・ページの所望の部分を表示させるためにスクロールをしなければならない。スクロール量が多くなると，ユーザはスクロールに手間がかかり，不便となってしまう。
【先行技術文献】
【特許文献】
【０００４】
【特許文献１】特開2003-323202号公報
【特許文献２】特開2003-330728号公報
【特許文献３】特開平9-237074号公報
【発明の概要】
【０００５】
この発明は，ウェブ・ページを見やすくしつつ，スクロールする手間を少なくすることを目的とする。
【０００６】
この発明は，ウェブ・ページ・データ変換サーバと表示装置を備えた携帯電話とを含むウェブ・ページ・データ変換システムについてのものである。
【０００７】
上記ウェブ・ページ・データ変換サーバが，上記携帯電話から送信されるウェブ・ページ・リクエストを受信するウェブ・ページ・リクエスト受信手段，上記ウェブ・ページ・リクエスト受信手段によって受信したウェブ・ページ・リクエストを，そのウェブ・ページ・リクエストによって要求され，かつ上記携帯電話のユーザからの指令を受け付けるユーザ・インターフェイス領域を複数含むウェブ・ページを表すウェブ・ページ・コンテンツを格納しているウェブ・ページ・サーバに送信するウェブ・ページ・リクエスト送信手段，上記ウェブ・ページ・リクエスト送信手段によってウェブ・ページ・リクエストが上記ウェブ・ページ・サーバに送信されたことに応じて上記ウェブ・サーバから送信されるウェブ・ページ・コンテンツを受信するウェブ・ページ・コンテンツ受信手段，上記ウェブ・ページ・コンテンツ受信手段によって受信したウェブ・ページ・コンテンツから，一駒のウェブ・ページ画像を生成するウェブ・ページ画像生成手段，上記ウェブ・ページ画像生成手段によって生成されたウェブ・ページ画像に含まれる複数のユーザ・インターフェイス領域のうち，それらの複数のユーザ・インターフェイス領域に指令を与えた指令順序履歴から上記携帯電話のユーザが指令を与えると考えられるユーザ・インターフェイス領域を決定する第１のユーザ・インターフェイス領域決定手段，ならびに上記第１のユーザ・インターフェイス領域決定手段によって決定されたユーザ・インターフェイス領域を特定する第１のユーザ・インターフェイス領域特定データおよび上記ウェブ・ページ画像生成手段によって生成されたウェブ・ページ画像を表すウェブ・ページ画像ファイルを上記携帯電話に送信する第１の送信手段を備えている。
【０００８】
上記携帯電話が，上記ウェブ・ページ・データ変換サーバの上記第１の送信手段から送信された第１のユーザ・インターフェイス領域特定データおよびウェブ・ページ画像ファイルを受信したことに応じて，上記ウェブ・ページ画像ファイルによって表されるウェブ・ページ画像のうち，上記第１のユーザ・インターフェイス領域特定データによって特定される指令領域を含む画像部分を表示画面に表示するように上記表示装置を制御する表示制御手段，上記ウェブ・ページ画像に含まれる複数のユーザ・インターフェイス領域のうちいずれかのユーザ・インターフェイス領域に指令を与える指令手段，ならびに上記指令手段によって指令が与えられたユーザ・インターフェイス領域を特定する第２のユーザ・インターフェイス領域特定データおよび上記指令手段から与えられた指令内容を示すデータを上記ウェブ・ページ・データ変換サーバに送信する第２の送信手段を備えている。
【０００９】
この発明は，上記ウェブ・ページ変換システムを構成するウェブ・ページ変換サーバも提供している。
【００１０】
また，この発明は，上記ウェブ・ページ変換サーバに適した動作制御方法も提供している。すなわち，この方法は，ウェブ・ページ・リクエスト受信手段が，携帯電話から送信されるウェブ・ページ・リクエストを受信し，ウェブ・ページ・リクエスト送信手段が，上記ウェブ・ページ・リクエスト受信手段によって受信したウェブ・ページ・リクエストを，そのウェブ・ページ・リクエストによって要求され，かつ上記携帯電話のユーザからの指令を受け付けるユーザ・インターフェイス領域を複数含むウェブ・ページを表すウェブ・ページ・コンテンツを格納しているウェブ・ページ・サーバに送信し，ウェブ・ページ・コンテンツ受信手段が，上記ウェブ・ページ・リクエスト送信手段によってウェブ・ページ・リクエストが上記ウェブ・ページ・サーバに送信されたことに応じて上記ウェブ・サーバから送信されるウェブ・ページ・コンテンツを受信し，ウェブ・ページ画像生成手段が，上記ウェブ・ページ・コンテンツ受信手段によって受信したウェブ・ページ・コンテンツから，一駒のウェブ・ページ画像を生成し，ユーザ・インターフェイス領域決定手段が，上記ウェブ・ページ画像生成手段によって生成されたウェブ・ページ画像に含まれる複数のユーザ・インターフェイス領域のうち，それらの複数のユーザ・インターフェイス領域に指令を与えた指令順序履歴から上記携帯電話のユーザが指令を与えると考えられるユーザ・インターフェイス領域を決定し，送信手段が，上記ユーザ・インターフェイス領域決定手段によって決定されたユーザ・インターフェイス領域を特定するユーザ・インターフェイス領域特定データおよび上記ウェブ・ページ画像生成手段によって生成されたウェブ・ページ画像を表すウェブ・ページ画像ファイルを上記携帯電話に送信するものである。
【００１１】
この発明は，上記ウェブ・ページ変換サーバの動作制御方法に適した動作制御プログラムも提供している。
【００１２】
この発明によると，携帯電話から送信されるウェブ・ページ・リクエストに応じたウェブ・ページを表すウェブ・ページ・コンテンツが，ウェブ・ページ・サーバからウェブ・ページ変換サーバに送信される。ウェブ・ページ変換サーバにおいて，ウェブ・ページ・コンテンツから一駒のウェブ・ページ画像が生成される。ウェブ・ページ画像に含まれる複数のユーザ・インターフェイス領域のうち，ユーザが指令を与えると考えられるユーザ・インターフェイス領域が指令受け付け順序にしたがって決定される。決定されたユーザ・インターフェイス領域を特定するユーザ・インターフェイス領域特定データおよびウェブ・ページ画像ファイルがウェブ・ページ変換サーバから携帯電話に送信される。
【００１３】
ユーザ・インターフェイス領域特定データおよびウェブ・ページ画像ファイルが携帯電話において受信されると，ウェブ・ページ画像のうちユーザ・インターフェイス領域特定データによって特定されるユーザ・インターフェイス領域を含む画像部分が携帯電話の表示画面に表示される。表示画面に表示されている画像部分に含まれているユーザ・インターフェイス領域に指令を与えるのであれば，指令手段から指令が与えられる。表示画面にはユーザが指令を与えることが多いユーザ・インターフェイス領域が表示されるので，指令を与えるユーザ・インターフェイス領域を表示するためにスクロールする必要が無い。ユーザによるスクロールの手間を省くことができる。もし，他のユーザ・インターフェイス領域から指令を与えるのであればスクロールされる。スクロールにより，指令を与える他のユーザ・インターフェイス領域が表示画面に表示されるようになる。携帯電話のユーザによって指令受付領域に指令が与えられると，その指令が与えられたユーザ・インターフェイス領域を特定する第２のユーザ・インターフェイス領域特定データおよび指令内容を表すデータが携帯電話からウェブ・ページ変換サーバに送信される。
【００１４】
好ましくは，上記ウェブ・ページ変換サーバは，上記携帯電話の上記第２の送信手段から送信された第２の特定データによって表されるユーザ・インターフェイス領域への指令を用いて上記指令順序履歴を更新する更新手段をさらに備える。この場合，上記ウェブ・ページ画像生成手段は，上記携帯電話の上記第２の送信手段から送信された指令内容を表すデータを受信したことに応じて，その指令内容を表すデータによって表される指令内容を反映したウェブ・ページ画像を生成するものとなろう。生成されたウェブ・ページ画像に含まれる複数のユーザ・インターフェイス領域のうち次にユーザが指令を与えると考えられるユーザ・インターフェイス領域が決定され，その決定されたユーザ・インターフェイス領域を特定する第１のユーザ・インターフェイス領域特定データがウェブ・ページ変換サーバから携帯電話に送信される。携帯電話の表示画面には，ユーザが次に指令を与えるであろうユーザ・インターフェイス領域を含む画像部分が表示されるそのユーザ・インターフェイス領域に指令を与える場合にはユーザはスクロールする必要が無くなる。
【００１５】
上記第１の送信手段は，すでに携帯電話にウェブ・ページ画像ファイルが送信されている場合には，ウェブ・ページ画像ファイルを再度送信することなく，上記第１の指令受付領域決定手段によって決定された指令受付領域を特定する第１の指令領域特定データを送信するようにすればよい。また上記携帯電話に，スクロール指令に応じて，上記ウェブ・ページ画像のうち表示画面に表示されていない画像部分を表示するように上記表示装置を制御する第２の表示制御手段を設けてもよい。
【図面の簡単な説明】
【００１６】
【図１】携帯電話の正面図である。
【図２】携帯電話とＰＣとを示している。
【図３】ウェブ・ページ閲覧システムの概要である。
【図４】携帯電話の電気的構成を示すブロック図である。
【図５】中継サーバの電気的構成を示すブロック図である。
【図６】ウェブ・ページの一例である。
【図７】ＨＴＭＬ文書の一例である。
【図８】指令受付順序履歴テーブルの一例である。
【図９】ウェブ・サーバの電気的構成を示すブロック図である。
【図１０】ウェブ・ページ閲覧システムの処理手順を示すフローチャートである。
【図１１】ウェブ・ページ閲覧システムの処理手順を示すフローチャートである。
【図１２】メタ・データの一例である。
【図１３】携帯電話操作／処理手順を示すフローチャートである。
【図１４】ウェブ・ページ画像の一例である。
【図１５】携帯電話に表示される画像部分の一例である。
【図１６】携帯電話に表示される画像部分の一例である。
【図１７】携帯電話に表示される画像部分の一例である。
【図１８】携帯電話に表示される画像部分の一例である。
【図１９】携帯電話に表示される画像部分の一例である。
【図２０】携帯電話に表示される画像部分の一例である。
【図２１】メタ・データの一例である。
【実施例】
【００１７】
図１は，携帯電話１の正面図である。
【００１８】
携帯電話１は，折りたたみ自在なもので（折りたたみ自在でなくともよい），第１の半体２および第２の半体５を有している。
【００１９】
第１の半体２の上部にはスピーカ４が設けられている。また，第１の半体２の全面に渡って表示画面３が形成されている。
【００２０】
第２の半体５には，多数のキーパッド15が設けられている。多数のキーパッド６には，電話帳ボタン７，設定ボタン８，メニュー・ボタン９，確定ボタン10，円環の上下左右に矢印が形成されているボタン11，発呼ボタン12，クリア・ボタン13，ならびに電源／切断ボタン14，０から９までの数字ならびにアスタリスク記号およびシャープ記号が形成されているボタン15が含まれている。多数のキーパッド15の下部にはマイクロフォン16が形成されている。
【００２１】
携帯電話１には，ブラウザがインストールされている。携帯電話１にブラウザがインストールされていることにより，表示画面３にウェブ・ページを表示させることができる。
【００２２】
図２は，携帯電話１とＰＣ（パーソナル・コンピュータ）20とを示している。
【００２３】
ＰＣ20には折りたたみ自在に表示部21とキーボード部23とが含まれている。表示部21のほぼ全面に表示画面22が形成されている。キーボード部23のほぼ全面にキーボード24が形成されている。
【００２４】
ＰＣ20を用いてウェブ・サイトにアクセスすると，表示画面22にウェブ・ページが表示される。同様に，携帯電話１を用いてウェブ・サイトにアクセスすると，携帯電話１の表示画面３にウェブ・ページが表示される。
【００２５】
図３は，ウェブ・ページ閲覧システムの概要を示している。
【００２６】
ウェブ・ページ閲覧システムには，ウェブ・ページ変換システム25とウェブ・サーバ50とが含まれている。ウェブ・ページ変換システム25には，ユーザが使用する携帯電話１と中継サーバ（ウェブ・ページ変換サーバ）40とが含まれている。中継サーバ40は，携帯電話１とウェブ・サーバ50との通信を中継する。携帯電話１と中継サーバ40，中継サーバ40とウェブ・サーバ50とはそれぞれインターネットを介して通信することができる。
【００２７】
図４は，携帯電話１の電気的構成を示すブロック図である。
【００２８】
携帯電話１の全体の動作は，処理装置30によって統括される。
【００２９】
携帯電話１にはインターネットを介して中継サーバ40と通信する通信回路31が含まれている。また，携帯電話１には第１のブラウザその他のプログラム，データなどを記憶するメモリ32，上述したキーパッド16からの指令を処理装置30に与えるための入力インターフェイス33および表示装置34も含まれている。携帯電話１は通話の機能も有しているが，通話に関する回路は図示が省略されている。
【００３０】
図５は，中継サーバ40の電気的構成を示すブロック図である。
【００３１】
中継サーバ40にも，インターネットを介して携帯電話１およびウェブ・サーバ50と通信する通信回路41が含まれている。
【００３２】
中継サーバ40には，画像変換装置44が含まれている。画像変換装置44によって，通信回路41を介してウェブ・サーバ50から送信されたウェブ・ページ・コンテンツ（ウェブ・ページ・コンテンツ・ファイル）にもとづいて，ウェブ・ページ・コンテンツによって表示されるウェブ・ページを一駒の画像として表すウェブ・ページ画像ファイルが生成される。あらかじめ決められた解像度で画像ファイルが生成されるが，ウェブ・ページ・コンテンツ・ファイルの内容，携帯電話１の表示画面３の解像度に応じた解像度をもつ画像を表す画像ファイルを生成してもよい。
【００３３】
また，中継サーバ40には，ＵＩ情報解析装置45およびＵＩメタ・データ生成装置46が含まれている。ＵＩ情報解析装置45は，ウェブ・コンテンツ・ファイルに含まれるＵＩ（ユーザ・インターフェイス）情報を抽出するものである。ＵＩ情報は，ウェブ・ページ上における入力領域，ラジオ・ボタンなどユーザからの入力またはチェックなどの指令を受け付けるユーザ・インターフェイス領域を表すものである。ＵＩメタ・データ生成装置は，ＵＩ情報から，ユーザ・インターフェイス領域のウェブ・ページにおける座標位置およびユーザ・インターフェイス領域の入力またはチェックの内容を表わすＵＩメタ・データを生成するものである。
【００３４】
さらに，中継サーバ40には，履歴管理装置42が含まれている。履歴管理装置42は，ウェブ・ページ画像に含まれる複数のユーザ・インターフェイス領域に携帯電話１のユーザが指令を与えた場合に，指令を与えた順序を示す指令順序履歴テーブルを記憶するものである。
【００３５】
図６は，ウェブ・ページの一例である。
【００３６】
このウェブ・ページ200は，HTML（Hyper-Text Markup Language）文書にもとづいて表示されるもので，勤務状況についての情報を入力できるものである。ウェブ・ページ200には，左上に「勤務状況」の文字列が表示されている。この「勤務状況」の文字列の下には「１．入力」の文字列201および「２．確認」の文字列202が表示されている。これらの文字列201および202はクリッカブルなものである。ウェブ・ページ200の右上には，カレンダ203が表示されている。このカレンダ203は，最上段に曜日が表示されており，その曜日に対応して日にちが表示されている。日にちが表示されている領域204はクリッカブルであり，クリックされると，そのクリックされた領域204が枠204Ａで囲まれる。ウェブ・ページ200のやや左下には勤務時間の開始時間を入力する第１の入力領域205および勤務時間の終了時間を入力する第２の入力領域206が表示されている。これらの入力領域205および206を選択することにより開始時間および終了時間を入力領域205および206に入力できる。プルダウン・メニューにより時間を選択できるようにしてもよい。ウェブ・ページ200の右下には，いずれもクリッカブルな取り消しボタン領域207および決定領域208が表示されている。これらの文字列201，202，領域204から208が上述したようにユーザ・インターフェイス領域201，202，204〜208である。
【００３７】
図７は，図６に示すウェブ・ページ200を表示するためのＨＴＭＬ文書の一部を示している。
【００３８】
符号301で示すタグが文字列201を表示させるものである。符号302で示すタグが文字列202を表示させるものである。符号304で示すタグが領域204のうち18日の日にちが付与されている領域204を表示させるものである。符号305で示すタグが領域205を表示させるものである。符号306で示すタグが領域206を表示させるものである。符号307で示すタグが領域307で表示させるものである。符号308で示すタグが領域208で表示させるものである。
【００３９】
図６にもどって，ユーザがウェブ・ページ200を利用して勤務状況を入力しようとする場合，通常は，文字列201がクリックされ，その後にカレンダ203内の日にち領域204のうち入力しようとする日にちの領域204がクリックされる。つづいて，領域205および206が選択され，勤務時間の開始時間および終了時間が入力される。最後に決定領域278がクリックされる。また，必要に応じて取り消し領域207がクリックされる。このように，文字列201，202，領域204から208に指令を与える順序は，ほぼ決まっている。この実施例では，このような指令を与える順序が上述した指令順序履歴として履歴管理装置42のテーブルに格納されている。
【００４０】
図８は，指令順序履歴テーブルの一例である。
【００４１】
ウェブ・ページ（ウェブ・ページ画像でもよい）ごとに指令受付順序履歴テーブルが規定されている。
【００４２】
指令順序履歴テーブルには，ユーザＩＤ，利用日時，指令付与前情報および指令付与後情報が一組の指令順序情報として格納されている。ユーザＩＤは，ウェブ・ページを利用したユーザを識別するＩＤである。利用日時は，ウェブ・ページを利用した日時である。指令付与前情報には，指令を与えるユーザ・インターフェイス領域のＵＲＬ（Uniform Resource Locator）である指令付与前のＵＲＬ，指令を与えたユーザ・インターフェイス領域および指令内容が含まれている。指令付与後情報には，ユーザ・インターフェイス領域に指令を与えた後に指令を与えるユーザ・インターフェイス領域が含まれているウェブ・ページのＵＲＬを示す指令付与後のＵＲＬ，指令を与えたユーザ・インターフェイス領域および指令内容が含まれている。
【００４３】
図６に示す例であれば，文字列201がクリックされた後に領域204がクリックされると，一組の指令順序情報が生成される。その場合，指令付与前情報には指令付与前のＵＲＬとして，ウェブ・ページ200のＵＲＬが格納され，指令を与えたユーザ・インターフェイス領域には文字列201の識別データ（ＵＩ情報ＩＤ）が格納され，指令内容としてはクリックが格納される。また，指令付与後情報には指令付与後のＵＲＬとしてウェブ・ページ200のＵＲＬが格納され（文字列201も領域204も同じウェブ・ページ200に存在するために，同じＵＲＬが格納されることとなる），指令を与えたユーザ・インターフェイス領域には領域204の識別データが格納され，指令内容としてはクリックが格納される。
【００４４】
同様に，領域204がクリックされた後に領域205がクリックされると，次の一組の指令順序情報が生成される。その場合，指令付与前情報には，一つ前の組の指令順序情報の指令付与後情報が格納されることとなる。すなわち，指令付与前のＵＲＬとしてウェブ・ページ200のＵＲＬが格納され，指令を与えたユーザ・インターフェイス領域には領域204の識別データが格納され，指令内容としてはクリックが格納される。指令付与後情報には，指令付与前のＵＲＬとして領域205が存在するウェブ・ページ200のＵＲＬが格納され，指令を与えたユーザ・インターフェイス領域には領域205が格納され，指令内容としては文字列の入力が格納される。
【００４５】
ウェブ・ページに含まれる複数のユーザ・インターフェイス領域のうち最初にユーザ・インターフェイス領域に指令を与える場合には，指令付与前情報のデータは無しとなる。
【００４６】
指令受付順序履歴テーブルに格納されている指令付与前情報および指令付与後情報から，ユーザがどのような順序でユーザ・インターフェイス領域に指令を与えたかが分かることが理解できよう。
【００４７】
図９は，ウェブ・サーバ50の電気的構成を示すブロック図である。
【００４８】
ウェブ・サーバ50の全体の動作は，ＣＰＵ52によって統括される。
【００４９】
ウェブ・サーバ50にもインターネットを介して中継サーバ40と通信する通信装置51が含まれている。また，ウェブ・サーバ50には，多数のウェブ・ページを表示するための多数のウェブ・コンテンツ・ファイルを格納する記憶装置53も含まれている。中継サーバ40から送信されたウェブ・ページ・リクエストに応じたウェブ・コンテンツ・ファイルが記憶装置53から読み出される。読み出されたウェブ・コンテンツ・ファイルが通信回路51によって中継サーバ40に送信される。
【００５０】
上述の実施例においては，携帯電話１は１つだけが図示されているが，中継サーバ40と通信可能な携帯電話１は多数存在し，それぞれ個別に中継サーバ40との通信が行われる。また，ウェブ・サーバ50も多数存在し，中継サーバ40は，それぞれのウェブ・サーバ50と通信できる。どの携帯電話１からどのウェブ・サーバ50へアクセスする場合であっても，中継サーバ40を介して通信が行われる。
【００５１】
図10および図11は，ウェブ・ページ閲覧システムの処理手順を示すフローチャートである。
【００５２】
ユーザは，携帯電話１にインストールされているブラウザを起動し，携帯電話１のキーパッド15を用いて，閲覧したいウェブ・ページのＵＲＬを入力する。ＵＲＬの文字列を直接入力するのではなく，携帯電話１のメモリ32に記憶されているＵＲＬの中から選択してもよい。ＵＲＬを入力後に確定ボタン10が押されると，入力されたＵＲＬを表すデータおよびウェブ・ページ・リクエストが中継サーバ40に送信される（図10ステップ61）。
【００５３】
携帯電話１から送信されたＵＲＬデータおよびウェブ・ページ・リクエストは中継サーバ40において受信される（図10ステップ81）。すると，携帯電話１から送信されたＵＲＬデータおよびウェブ・ページ・リクエストは，中継サーバ40からウェブ・サーバ50に送信される（図10ステップ82）。
【００５４】
中継サーバ40から送信されたＵＲＬデータおよびウェブ・ページ・リクエストがウェブ・サーバ50において受信されると（図10ステップ101），受信したＵＲＬデータによって特定されるＵＲＬの記憶場所に格納されているウェブ・コンテンツ・ファイルが記憶装置53から読み取られる。読み取られたウェブ・コンテンツ・ファイルがウェブ・サーバ50から中継サーバ40に送信される（図10ステップ102）。
【００５５】
中継サーバ40は，ウェブ・サーバ50から送信されたウェブ・コンテンツ・ファイルを受信する（図10ステップ83）。ＵＩ情報解析装置45により，受信したウェブ・コンテンツ・ファイルが解析され，ＵＩ情報（図12参照）が抽出される（図10ステップ84）。ウェブ・コンテンツ・ファイルの解析方法は特に限定されるものではなく，ウェブ・コンテンツ・ファイルに含まれるＨＴＭＬファイルをパースしてタグを抽出するといった公知の手法を用いればよい。
【００５６】
つづいて，中継サーバ40において，ウェブ・ページ・コンテンツ・ファイルによって表されるウェブ・ページを一駒の画像として表すウェブ・ページ画像を表示するための画像ファイルが生成される（図10ステップ85）。この画像ファイルの生成は，画像変換装置44においてウェブ・コンテンツ・ファイルから画像ファイルへの変換処理を行うことにより可能である。また，ＵＩ情報解析装置45は，解析結果に基づいてＵＩメタ・データを生成する（図10ステップ85）。
【００５７】
ＵＩ情報解析装置45は，図７に示すＨＴＭＬ文書からリンク・タグや入力フォーム等のＵＩ情報を抽出し，図６に示すウェブ・ページにおけるユーザ・インターフェイス領域の位置座標を算出する。たとえば，図７に示すＨＴＭＬ文書には，上述のように，リンク・タグ301，302および303，テキスト入力欄タグ305および306，ラジオ・ボタン・タグ307および308が記述されている。これらのタグ301，302，304〜308によってウェブ・ページ200のユーザ・インターフェイス領域201，202，204〜208が形成されるのは上述の通りである。
【００５８】
ＵＩ情報解析装置45は，ＨＴＭＬ文書からこれらのタグ301，302，304〜308を抽出することにより，ユーザ・インターフェイス領域201，202，204〜208を抽出する。また，ＵＩ情報解析装置45は，これらのユーザ・インターフェイス領域の開始と終了のＸＹ座標値（左上と右下に相当する座標値）を取得する。座標値の取得方法は特に限定されるものではなく，例えば，画像レンダリング中に記憶，ブラウザから取得等の手法を用いればよい。
【００５９】
このように抽出された各ユーザ・インターフェイス領域とその位置情報は，ユーザ・インターフェイス領域を識別するＵＩ情報ＩＤとともに関連付けられ，ＵＩメタ・データとして中継サーバ40の記憶装置（図示略）に記憶される。ここでは，ＵＩ情報ＩＤは，それぞれユーザ・インターフェイス領域と同じ符号201，202，204〜208を用いるものとする。
【００６０】
図12は，記憶されたＵＩメタ・データの一例である。
【００６１】
ＵＩメタ・データには，ＵＩ情報ＩＤによって特定されるＵＩ情報ごとに，ユーザ・インターフェイス領域の開始Ｘ座標，開始Ｙ座標，終了Ｘ座標，終了Ｙ座標，ユーザ・インターフェイス領域がリンクか，フォームかを示す情報，ユーザ・インターフェイス領域のタイプ，ユーザ・インターフェイス領域の名前，ユーザ・インターフェイス領域の値，ユーザ・インターフェイス領域のチェック，ユーザ・インターフェイス領域の最大値および表示文字列が格納されている。
【００６２】
ウェブ・ページ画像は，図６に示すウェブ・ページと同様に，文字列201および202，領域204から208に対応するユーザ・インターフェイス領域が形成されている。このために，図６のウェブ・ページを必要に応じてウェブ・ページ画像として扱う。但し，ウェブ・ページ画像は，図６に示すウェブ・ページ200と異なり，テキストを直接入力することもできないし，クリックすることもできない。
【００６３】
図10にもどって，ウェブ・ページ画像の中に含まれる複数のユーザ・インターフェイス領域中からユーザが指令（最初の指令）を与えると考えられるユーザ・インターフェイス領域が上述した指令順序履歴テーブルを参照して決定される（図10ステップ86）。たとえば，図６に示すウェブ・ページ画像200であれば，ウェブ・ページ画像200に最初にアクセスしたユーザが指令を与えるのは上述したようにユーザ・インターフェイス領域201であると考えられるので，中継サーバ40から携帯電話１にはユーザ・インターフェイス領域201を識別するＵＩ情報ＩＤ（第１のユーザ・インターフェイス領域特定データ，ユーザ・インターフェイス領域特定データ）が送信される（図10ステップ87）。また，そのＵＩ情報ＩＤとともにウェブ・ページ画像ファイルおよびＵＩメタ・データも中継サーバ40から携帯電話１に送信される（ステップ87）。中継サーバ40において，ウェブ・ページ・コンテンツファイルが，送信した携帯電話１や生成したＵＩメタ・データと関連付けて記憶装置にされる。
【００６４】
携帯電話１は，中継サーバ40から送信されたＵＩメタ・データ，ウェブ・ページ画像ファイルおよびユーザ・インターフェイス領域特定データを受信する（図10ステップ62）。携帯電話１は，ＵＩメタ・データ，ウェブ・ページ画像ファイルおよびユーザ・インターフェイス領域特定データを受信すると，受信した画像ファイルによって表されるウェブ・ページ画像を表示画面３に表示する。ユーザは，表示画面３に表示されたウェブ・ページ画像を見ながら，キーパッドを操作することとなる（携帯電話操作／処理，図10ステップ63）。この携帯電話操作／処理について詳しくは後述する。
【００６５】
携帯電話１の操作に応じて，ＵＩメタ・データが書き換えられ，携帯電話１から中継サーバ40にＵＩ情報ＩＤおよび書き換えられたＵＩデータが送信される（図11ステップ64）。
【００６６】
携帯電話１から送信されたＵＩメタ・データとＵＩ情報ＩＤとが中継サーバ20において受信される（図11ステップ88）。
【００６７】
ＵＩ情報解析装置45は，受信したＵＩメタ・データと実行されたＵＩ情報ＩＤとを解析し，ＵＩメタ・データ中のどのユーザ・インターフェイス領域が実行されたのかを解析する（図11ステップ89）。指令受付順序履歴テーブルの一組の指令受付順序履歴情報のすべての情報が埋まっていれば，新たな指令順序履歴情報がユーザＩＤ，利用日時および指令付与前情報に格納される。受信したＵＩ情報ＩＤから指令を与えたユーザ・インターフェイス領域が分かり，指令順序履歴テーブルが更新される（図11ステップ90）。指令付与前のＵＲＬは中継サーバ40に記憶されているウェブ・ページのＵＲＬと同じであり，指令内容はＵＩメタ・データから分かる。一組の指令順序履歴情報のうちユーザＩＤ，利用日時および指令付与前情報が埋まっており，指令付与後情報が埋まっていなければ，携帯電話１から送信されたＵＩ情報ＩＤは指令付与後情報についてのものであり，指令付与後のＵＲＬ，指令を与えたユーザ・インターフェイス領域および指令内容が指令受付順序履歴テーブルに格納される。
【００６８】
ＵＩ情報解析装置45は，実行されたユーザ・インターフェイス領域にもとづいて，ウェブ・サーバ50との通信が必要であるか否かを判定する（図11ステップ91）。例えば，リンク・ボタンがクリックされ，別のウェブ・ページに移動する必要がある場合にはウェブ・サーバ50との通信が必要であると判定される。
【００６９】
実行されたユーザ・インターフェイス領域がウェブ・サーバ50との通信が必要なユーザ・インターフェイス領域である場合は（図11ステップ91でＹＥＳ），中継サーバ40の記憶装置に記憶されたウェブ・ページ・コンテンツ・ファイルから移動先のＵＲＬを取得し，取得したＵＲＬを表すデータおよびウェブ・ページ・リクエストを該当するウェブ・サーバ50に送信する（図11ステップ92）。
【００７０】
ウェブ・サーバ50において，中継サーバ40から送信されたＵＲＬデータおよびウェブ・ページ・リクエストが受信されると（図11ステップ103），そのＵＲＬデータによって特定されるＵＲＬに格納されているウェブ・ページ・コンテンツ・ファイルが読み出される。読み出されたウェブ・ページ・コンテンツ・ファイルがウェブ・サーバ50から中継サーバ40に送信される（図11ステップ104）。
【００７１】
ウェブ・サーバ50から送信されたウェブ・ページ・コンテンツ・ファイルが中継サーバ40において受信されると（図11ステップ93），ＵＩ情報解析装置45においてウェブ・ページ・コンテンツ・ファイルが解析される（図11ステップ94）。
【００７２】
ＵＩ情報解析装置45は，解析結果にもとづいて遷移先のＵＩメタ・データを生成し，画像変換装置44は，移動先のウェブ・ページ・コンテンツ・ファイルからウェブ・ページ画像ファイルを新たに生成する（図11ステップ95）。新たに生成されたウェブ・ページ画像ファイルによって表される新たなウェブ・ページにおいてもユーザが最初に指令を与えると考えられるユーザ・インターフェイス領域が決定される（ステップ96）。生成された新たなウェブ・ページ画像ファイル，ＵＩメタ・データおよび決定されたユーザ・インターフェイス領域を特定するＵＩ情報ＩＤ（第２のユーザ・インターフェイス領域特定データ）とが中継サーバ40から携帯電話１に送信される（図11ステップ97）。終了しなければステップ88からの処理が繰返される（図11ステップ98）。
【００７３】
携帯電話１は，中継サーバ40から送信されたウェブ・ページ画像ファイル，ＵＩメタ・データおよびＵＩ情報ＩＤとを受信し（図11ステップ65），画像ファイルによって表されるウェブ・ページ画像を移動先のウェブ・ページ画像として表示画面３に表示する。表示されたウェブ・ページ画像を用いて携帯電話の操作等が行われる（図11ステップ66）。終了しなければステップ64からの処理が繰返される（図11ステップ67）。
【００７４】
携帯電話１において実行されたユーザ・インターフェイス領域がウェブ・サーバ50との通信が不要なユーザ・インターフェイス領域であると判断された場合には（図11ステップ91でＮＯ），ステップ95へ移行する。書き換えられたＵＩメタ・データと関連するウェブ・ページ・コンテンツ・ファイルが中継サーバ40の記憶装置から読み出され，書き換えられたＵＩメタ・データにもとづいて新たなウェブ・ページ画像ファイルが生成される（図11ステップ95）。新たなウェブ・ページ画像ファイルを生成するのではなく，ウェブ・ページ画像の書き換えを要する部分についてだけを書き換えてもよい。
【００７５】
次に，携帯電話１のユーザによって指令が与えられたユーザ・インターフェイス領域の次に指令が与えられる可能性が高いユーザ・インターフェイス領域が指令順序履歴テーブルから決定される（図11ステップ96）。
【００７６】
図６を参照して，ユーザによって指令が与えられたユーザ・インターフェイス領域がユーザ・インターフェイス領域201であれば，ユーザ・インターフェイス201の次に指令が与えられる可能性が高いユーザ・インターフェイス領域はユーザ・インターフェイス領域204であると決定される。
【００７７】
図11に戻って，新たなウェブ・ページ画像ファイル，ＵＩメタ・データおよび決定されたユーザ・インターフェイス領域を特定するＵＩ情報ＩＤが中継サーバ40から携帯電話１に送信される（図11ステップ97）。
【００７８】
携帯電話１は，中継サーバ40から送信されたウェブ・ページ画像ファイル，ＵＩメタ・データおよびＵＩ情報ＩＤを受信し（図11ステップ65），ウェブ・ページ画像ファイルによって表されるウェブ・ページ画像を表示画面３に表示する。表示されたウェブ・ページ画像を用いて操作が行われる（図11ステップ67）。
【００７９】
図13は，中継サーバ40から送信されたウェブ・ページ画像ファイル，ＵＩメタ・データおよびＵＩ情報ＩＤを用いて行う携帯電話１における処理（図10ステップ63の処理，図11ステップ66の処理）を示すフローチャートである。図14は，ウェブ・ページ画像ファイルによって表されるウェブ・ページ画像の一例である。図15から図20は，携帯電話１の表示画面３に表示される画像の一例である。
【００８０】
図14を参照して，ウェブ・ページ画像200にアクセスしたユーザは，ユーザ・インターフェイス領域201，204，205，206および208の順序で指令を与えることが多いものとする。その順序は，上述したように指令順序履歴テーブルからわかるのはいうまでもない。
【００８１】
この実施例においては，ユーザが指令を与える順序にしたがって，携帯電話１の表示画面３にウェブ・ページ画像200の画像部分が表示されるようになる。たとえば，ユーザ・インターフェイス領域201が含まれる画像部分501が表示画面３に最初に表示され（図15参照），次にユーザ・インターフェイス領域204が含まれる画像部分502が表示され（図16参照），次にユーザ・インターフェイス領域205および206が含まれる画像部分503が表示され（図17参照），次にユーザ・インターフェイス領域208が含まれる画像部分504が表示される（図20参照）。携帯電話１の表示画面３は比較的小さいが，ウェブ・ページ画像200の全体が表示画面３に表示されずにウェブ・ページ画像200の一部分が表示されるので，ユーザは指令を与えやすくなる。とくに，携帯電話１の表示画面３に表示される画像部分の順序は，ユーザが指令を与えるであろう順序に対応しているので，ユーザは表示させるべき画像を切り替える（スクロール）回数が少なくなる。
【００８２】
図13を参照して，携帯電話１は，ウェブ・ページ画像ファイル，ＵＩメタ・データおよびＵＩ情報ＩＤを受信すると，処理装置30によってＵＩメタ・データに含まれる各ユーザ・インターフェイス領域の位置座標と表示画面３に表示されるカーソル（単なる枠でもよい）の位置座標とを比較する（ステップＳ42）。比較結果にもとづいて，表示画面３にユーザ・インターフェイス領域を含む画像部分が表示される（ステップＳ43）。
【００８３】
例えば，カーソルの位置座標がユーザ・インターフェイス領域の位置座標と重なったときに，該当するユーザ・インターフェイス領域の位置の部分に対してマークを付し，ユーザ・インターフェイス領域が選択可能であることをユーザに認識させる。また，下線を引く，四角で囲う等でもよい。なお，ここでは，ＵＩメタ・データに記録された各ユーザ・インターフェイス領域のＸＹ座標値を対角とする矩形状の範囲内にカーソルが位置する場合に，ユーザ・インターフェイス領域の位置座標とカーソルの位置座標とが重なったとみなす。また，重なった場合ではなく，表示されているユーザ・インターフェイス領域の画像上の位置に対して常にこのような表示を行ってもよい。逆に，カーソルの位置座標がユーザ・インターフェイス領域の位置座標と重なったときに，カーソルの色や形状を変更して表示してもよい。
【００８４】
携帯電話１の表示画面３には，受信したウェブ・ページ画像ファイルによって表されるウェブ・ページ画像のうち，受信したＵＩ情報ＩＤによって特定されるユーザ・インターフェイス領域が含まれる画像部分が表示されることとなる（ステップＳ43）。上述したように，携帯電話１から中継サーバ40にウェブ・ページ・リクエストが送信された後に最初に携帯電話１の表示画面３に表示される画像部分は図15に示すように，ユーザが最初に指令を与えることが多いユーザ・インターフェイス領域201が含まれている画像部分501となる。画像部分501には，上述のようにカーソルＣも表示されている。
【００８５】
ここで，キーパッド15を用いてユーザ操作が行われると（ステップＳ44），操作内容に応じて，表示画面３の表示が変更される。
【００８６】
確定ボタン10が押されると，カーソルＣが位置しているユーザ・インターフェイス領域201を識別するＵＩ情報ＩＤおよびユーザ・インターフェイス領域201が指定されたことを示すＵＩメタ・データが上述のように携帯電話１から中継サーバ40に送信される。これにより，ユーザ・インターフェイス領域201のリンク先が表示画面３に表示される。ボタン11による上下左右移動の操作が行われた場合には，操作に応じてカーソルが移動する（ステップＳ45）。図15に示すようにカーソルＣがユーザ・インターフェイス領域201の位置にある場合にボタン11により下移動の操作が行われると，カーソルＣはユーザ・インターフェイス領域201の下にあるユーザ・インターフェイス領域202の位置に移動する。表示画面３に表示されている画像部分501は図14からわかるように，ウェブ・ページ画像200の左上の部分である。携帯電話１にはウェブ・ページ画像200の全体を表すウェブ・ページ画像ファイルが送信されているから，携帯電話１の表示画面３にはウェブ・ページ画像のうち画像部分501以外の部分も表示できる。図15に示すように表示画面３に画像部分501が表示されている場合において，ボタン11によって右移動の操作が行われると，図14に示すように画像部分501の右側の部分が表示画面３に表示される。同様に図15に示すように表示画面３に画像部分501が表示されている場合においてボタン11によって下移動の操作が行われてカーソルＣがユーザ・インターフェイス領域202の位置に位置決めされた後にさらに，ボタン11によって下移動の操作が行われると，ウェブ・ページ画像400のうち画像部分501の下側の部分が表示画面３に表示される。
【００８７】
図13にもどって，拡大，縮小の操作が行われた場合には，操作に応じた倍率に変更してウェブ・ページ画像400の一部または全部が表示される（ステップＳ46）。
【００８８】
確定ボタン10が押された場合には，ステップＳ42における比較結果に基づいて，カーソル位置とユーザ・インターフェイス領域の画像上の位置とが重なっているか否かが判定される（ステップＳ47）。
【００８９】
カーソル位置がユーザ・インターフェイス領域の画像上の位置と重なっていない場合は，確定ボタン10の押し下げ操作が無効とされる（ステップＳ47でＮＯ）。
【００９０】
カーソル位置がユーザ・インターフェイス領域の画像上の位置と重なっている場合は（ステップＳ47でＹＥＳ），処理装置30は，ＵＩメタ・データにもとづいてカーソル位置と重なる位置に存在するユーザ・インターフェイス領域の種別を判定する（ステップＳ48）。
【００９１】
ここで，ユーザ・インターフェイス領域の種別としては，テキスト入力欄等のユーザによる入力が必要なユーザ・インターフェイス領域，チェック・ボックスやラジオ・ボタン等の画面遷移を伴わず，データ入力の必要もないユーザ・インターフェイス領域，リンク，ボタン等の画面遷移を伴うユーザ・インターフェイス領域，の３つが考えられる。
【００９２】
図15に示すように，カーソルＣがユーザ・インターフェイス領域201に存在する場合においてＵＩ操作として上述のように確定ボタン10が押されると，上述のように，携帯電話１から中継サーバ40には確定ボタン10が押された時に位置していたユーザ・インターフェイス領域を識別するＵＩ情報ＩＤおよびＵＩメタ・データが送信される。すると，中継サーバ40において上述のようにＵＩ情報ＩＤおよびＵＩメタ・データにもとづいて指令受付順序履歴テーブルが更新される。
【００９３】
また，中継サーバ40から携帯電話１には，ウェブ・ページ画像ファイルおよび画像部分502が表示されるようなＵＩ情報ＩＤが送信される。携帯電話１の表示画面３には図17に示すように，ユーザ・インターフェイス領域201の次にユーザが操作するであろうユーザ・インターフェイス領域204を含む画像部分502が表示される。
【００９４】
ユーザ・インターフェイス領域204にカーソルＣが位置決めされ，確定ボタン10が押されると，図17に示すように，ユーザ・インターフェイス領域204の次にユーザが操作するであろうユーザ・インターフェイス領域205を含む画像部分503が携帯電話１の表示画面３に表示されることとなる。ユーザ・インターフェイス領域205は，ユーザによるテキストの入力が必要なものである。このように，カーソル位置に存在するユーザ・インターフェイス領域の種別が，テキスト入力欄等のユーザによるデータ入力が必要なユーザ・インターフェイス領域である場合は，まずポップアップ等により表示画面３にデータ入力画面が表示される（ステップＳ49）。
【００９５】
図18は，データ入力画面の一例である。
【００９６】
上述のように，データ入力画面が表示されると（ステップＳ49），ユーザは，この入力画面505においてキーパッド６を用いて必要なデータ入力を行う（ステップＳ50）。処理装置30は，ユーザ入力に応じて，メモリ32に記憶されているＵＩメタ・データを書き換える（ステップＳ51）。書き換えられたＵＩメタ・データは，書き換えられたＵＩ情報ＩＤと共に，通信装置11を介して中継サーバ20に送信される（ステップＳ51）。すると，中継サーバ40から携帯電話１には，ユーザによって入力されたテキストがユーザ・インターフェイス領域205に表示されている画像部分503を含むウェブ・ページ画像を表すウェブ・ページ画像ファイル，ＵＩ情報ＩＤおよびＵＩメタ・データが送信される。携帯電話１の表示画面３には，図19に示すように，ＵＩ情報ＩＤによって特定されるユーザ・インターフェイス領域205を含む画像部分503が表示されるようになる。同様に，ユーザ・インターフェイス領域206にも携帯電話１のユーザによってテキストが入力され，入力されたテキストが表示されるようになる。
【００９７】
ユーザ・インターフェイス領域206にテキストが入力された後に確定ボタンが押されると，上述したのと同様に，携帯電話１の表示画面３には画像部分504が表示されるようになる。携帯電話１のユーザの操作が終了すると，ユーザ・インターフェイス領域208がカーソルで示され確定ボタン10が押されることとなる。
【００９８】
ここで，ＵＩメタ・データの書き換えについて，主として図12および図21を参照して説明する。
【００９９】
図21は，図12と同様にメタ・データの一例である。図21に示すメタ・データは，上述のように，ユーザ・インターフェイス領域205にテキストが入力された後のものである。
【０１００】
上述のように，ユーザ・インターフェイス領域205にテキストが入力されると，ユーザ・インターフェイス領域205に対応するＵＩ情報ＩＤ205の値が入力されたテキストの内容に変わる。上述の例では，「０９：００」のテキストが入力されたので，「０９：００」の文字がユーザ・インターフェイス領域205に対応するＵＩ情報ＩＤ205の値に追加されている。このようにして書き換えられたメタ・データが上述のように携帯電話１から中継サーバ40に送信される。
【０１０１】
上述の実施例では，テキストが入力された場合に書き換えられたメタ・データを取り上げたが，テキスト入力に限らず，ラジオ・ボタンのチェックなどでも同様にメタ・データが書き換えられる。
【符号の説明】
【０１０２】
１  携帯電話
25  ウェブ・ページ変換システム
40  中継サーバ（ウェブ・ページ変換サーバ）
50  ウェブ・サーバ
【図１】
2011123697.tif 000003
【図２】
2011123697.tif 000004
【図３】
2011123697.tif 000005
【図４】
2011123697.tif 000006
【図５】
2011123697.tif 000007
【図６】
2011123697.tif 000008
【図７】
2011123697.tif 000009
【図８】
2011123697.tif 000010
【図９】
2011123697.tif 000011
【図１０】
2011123697.tif 000012
【図１１】
2011123697.tif 000013
【図１２】
2011123697.tif 000014
【図１３】
2011123697.tif 000015
【図１４】
2011123697.tif 000016
【図１５】
2011123697.tif 000017
【図１６】
2011123697.tif 000018
【図１７】
2011123697.tif 000019
【図１８】
2011123697.tif 000020
【図１９】
2011123697.tif 000021
【図２０】
2011123697.tif 000022
【図２１】
2011123697.tif 000023